(57)【要約】      （修正有）【課題】紙幣が一時的に保留される一時保留部を撮影部により撮影し、撮影された一時保留部の映像を出力することにより、ディーラーおよびプレーヤーの双方にとって紙幣の計数動作に不正がないことを証明することができ、カジノ等の運用形態に適合させることができる紙幣処理装置および紙幣処理方法を提供する。【解決手段】紙幣処理装置２０は、識別部２８により識別された紙幣を一時的に保留する一時保留部３２と、一時保留部３２に一時的に保留された紙幣を収納する収納部（例えば、紙幣収納カセット４０）と、一時保留部３２を撮影する撮影部５０と、撮影部５０により撮影された一時保留部３２の映像を出力する出力部とを備えている。【選択図】図３
2016045871.tif 000002
【特許請求の範囲】
【請求項１】
紙幣を筐体の外部から内部に投入するための投入部と、
前記筐体内で紙幣を搬送する搬送部と、
前記搬送部に設けられ、当該搬送部により搬送される紙幣を識別する識別部と、
前記搬送部に接続され、前記識別部により識別された紙幣を一時的に保留する一時保留部と、
前記搬送部に接続され、前記一時保留部に一時的に保留された紙幣を収納する収納部と、
前記一時保留部を撮影する撮影部と、
前記撮影部により撮影された前記一時保留部の映像を出力する出力部と、
を備えた、紙幣処理装置。
【請求項２】
前記出力部により出力された映像を表示するための表示部を更に備えた、請求項１記載の紙幣処理装置。
【請求項３】
前記出力部により出力された映像を記憶するための記憶部を更に備えた、請求項１記載の紙幣処理装置。
【請求項４】
前記出力部により出力された映像を表示するための表示部を更に備え、
前記表示部に、前記記憶部に記憶された映像を再生して表示させることができるようになっている、請求項３記載の紙幣処理装置。
【請求項５】
前記出力部により出力された映像を、前記紙幣処理装置とは別に設けられた外部装置に送信するための通信部を更に備えた、請求項１乃至４のいずれか一項に記載の紙幣処理装置。
【請求項６】
前記搬送部に接続され、前記識別部により正常な紙幣ではないと識別されたリジェクト紙幣が送られるリジェクト部と、
前記リジェクト部を撮影する追加撮影部と、
を更に備えた、請求項１乃至５のいずれか一項に記載の紙幣処理装置。
【請求項７】
前記出力部は、前記識別部による紙幣の識別結果と、前記撮影部により撮影された映像とを紐付けて出力するようになっている、請求項１乃至６のいずれか一項に記載の紙幣処理装置。
【請求項８】
前記一時保留部は、前記搬送部から送られた紙幣が帯状の巻取部材により回転体に巻かれるような構成のものからなる、請求項１乃至７のいずれか一項に記載の紙幣処理装置。
【請求項９】
前記一時保留部は、前記搬送部から送られた紙幣が載置台上に積層状態で集積されるような構成のものからなる、請求項１乃至７のいずれか一項に記載の紙幣処理装置。
【請求項１０】
前記一時保留部は複数設けられており、
前記収納部は、前記筐体から取り出し可能となっており、前記筐体から前記収納部が取り出されたときに、複数の前記一時保留部のうち少なくとも一つの前記一時保留部が、紙幣を収納する仮収納部として機能するようになっており、
前記撮影部は、前記一時保留部が前記仮収納部として機能するときには当該一時保留部の撮影を行わないようになっている、請求項１乃至９のいずれか一項に記載の紙幣処理装置。
【請求項１１】
紙幣を筐体の外部から内部に投入するための投入部と、
前記筐体内で紙幣を搬送する搬送部と、
前記搬送部に接続され、当該搬送部から送られた紙幣が集積される集積部と、
前記集積部を撮影する撮影部と、
を備えた、紙幣処理装置。
【請求項１２】
前記搬送部には、当該搬送部により搬送される紙幣を識別する識別部が設けられており、
前記集積部は、前記識別部により識別された紙幣を一時的に保留する一時保留部を含み、
前記搬送部には、前記一時保留部に一時的に保留された紙幣を収納する収納部が接続されている、請求項１１記載の紙幣処理装置。
【請求項１３】
前記収納部は、前記筐体から取り出し可能となっている、請求項１２記載の紙幣処理装置。
【請求項１４】
前記収納部は、鉛直方向における前記一時保留部の上方に配置されている、請求項１２または１３記載の紙幣処理装置。
【請求項１５】
前記撮影部により撮影された前記集積部の映像を出力する出力部を更に備えた、請求項１１乃至１４のいずれか一項に記載の紙幣処理装置。
【請求項１６】
前記出力部により出力された映像を表示するための表示部を更に備えた、請求項１５記載の紙幣処理装置。
【請求項１７】
前記出力部により出力された映像を記憶するための記憶部を更に備えた、請求項１５記載の紙幣処理装置。
【請求項１８】
前記出力部により出力された映像を表示するための表示部を更に備え、
前記表示部に、前記記憶部に記憶された映像を再生して表示させることができるようになっている、請求項１７記載の紙幣処理装置。
【請求項１９】
前記出力部により出力された映像を、前記紙幣処理装置とは別に設けられた外部装置に送信するための通信部を更に備えた、請求項１５乃至１８のいずれか一項に記載の紙幣処理装置。
【請求項２０】
前記搬送部に接続され、前記識別部により正常な紙幣ではないと識別されたリジェクト紙幣が送られるリジェクト部と、
前記リジェクト部を撮影する追加撮影部と、
を更に備えた、請求項１２乃至１４のいずれか一項に記載の紙幣処理装置。
【請求項２１】
前記集積部は、前記搬送部から送られた紙幣が帯状の巻取部材により回転体に巻かれるような構成のものからなる、請求項１１乃至２０のいずれか一項に記載の紙幣処理装置。
【請求項２２】
前記集積部は、前記搬送部から送られた紙幣が載置台上に積層状態で集積されるような構成のものからなる、請求項１１乃至２０のいずれか一項に記載の紙幣処理装置。
【請求項２３】
紙幣処理装置の筐体の外部から内部に投入された紙幣を識別部により識別した後に一時保留部で一時的に保留させる工程と、
前記一時保留部を撮影部により撮影する工程と、
前記撮影部により撮影された前記一時保留部の映像を出力する工程と、
前記一時保留部に一時的に保留された紙幣を収納部に収納させる工程と、
を備えた、紙幣処理方法。
【発明の詳細な説明】
【技術分野】
【０００１】
本発明は、カジノ等においてチップと交換される紙幣の入金処理を行うことができる紙幣処理装置および紙幣処理方法に関する。
【背景技術】
【０００２】
カジノ等においてテーブル上で行われるテーブルゲームではチップが用いられるようになっており、このチップはテーブルゲームのディーラーによってプレーヤーが所有する紙幣と交換されるようになっている。従来では、各テーブルにおいて紙幣とチップとの交換が行われる際に、プレーヤーが紙幣をディーラーに渡し、ディーラーはプレーヤーから受け取った紙幣を目視にて鑑別して金種や枚数を確認するとともにテーブル上に紙幣を並べ、さらに紫外線照射によって紙幣の真偽を確認していた。そして、紙幣が偽券ではないことが確認されると、ディーラーは紙幣の金額に対応する種類および枚数のチップをプレーヤーに渡し、当該ディーラーはテーブル上の紙幣を集めてテーブルに備え付けられたドロップボックスに収納していた。
【０００３】
また、各テーブルにおける紙幣とチップとを交換する際の取引情報については、ディーラーがテーブル毎に設置されている端末機に取引情報を手入力していた。そして、各端末機に通信可能に接続された売上管理装置により、各端末機で手入力される取引情報が一括して管理されていた。
【０００４】
しかしながら、上記の運用方法では、ディーラーはプレーヤーから受け取った紙幣を確認のために全てテーブル上に並べるため、紙幣の枚数が多い場合には当該紙幣の確認作業に時間がかかってしまい、ゲームの進行が妨げられるため、時間当たりの売上が伸びにくいという問題があった。また、ディーラーが端末機に取引情報を手入力する場合は、入力間違いや入力忘れ等が発生するおそれがあり、売上管理装置において正確な取引情報の管理を行うことができないという問題があった。
【０００５】
これに対し、特許文献１には、チップと交換される紙幣を計数するための紙幣計数機が開示されている。
【先行技術文献】
【特許文献】
【０００６】
【特許文献１】国際特許出願公開公報ＷＯ２００９／１２８１６７Ａ１
【発明の概要】
【発明が解決しようとする課題】
【０００７】
特許文献１に開示される紙幣計数機では、単に紙幣の計数を行う機能しか設けられていないため、計数された紙幣を筐体の内部で収納することができず、チップと交換された紙幣の管理を厳正に行うことができないという問題がある。一方、計数された紙幣を筐体の内部で収納するような紙幣入金機をカジノ等の各テーブルに設置した場合には、筐体の内部に取り込まれた紙幣を見ることができないため、ディーラーおよびプレーヤーの双方にとって紙幣の計数動作に不正がないことを証明することができず、カジノ等の運用形態に適合しなくなってしまうおそれがある。
【０００８】
本発明は、このような点を考慮してなされたものであり、紙幣が一時的に保留される一時保留部を撮影部により撮影し、撮影された一時保留部の映像を出力することにより、ディーラーおよびプレーヤーの双方にとって紙幣の計数動作に不正がないことを証明することができ、カジノ等の運用形態に適合させることができる紙幣処理装置および紙幣処理方法を提供することを目的とする。
【０００９】
本発明の他の目的は、筐体内において紙幣が集積される集積部を撮影部により撮影することにより、ディーラーおよびプレーヤーの双方にとって紙幣の計数動作に不正がないことを証明することができ、カジノ等の運用形態に適合させることができる紙幣処理装置を提供することにある。
【課題を解決するための手段】
【００１０】
本発明の紙幣処理装置は、紙幣を筐体の外部から内部に投入するための投入部と、前記筐体内で紙幣を搬送する搬送部と、前記搬送部に設けられ、当該搬送部により搬送される紙幣を識別する識別部と、前記搬送部に接続され、前記識別部により識別された紙幣を一時的に保留する一時保留部と、前記搬送部に接続され、前記一時保留部に一時的に保留された紙幣を収納する収納部と、前記一時保留部を撮影する撮影部と、前記撮影部により撮影された前記一時保留部の映像を出力する出力部と、を備えたことを特徴とする。
【００１１】
このような紙幣処理装置によれば、一時保留部を撮影部により撮影し、撮影部により撮影された一時保留部の映像を出力部により出力するようになる。このため、従来のような、ディーラーがプレーヤーから受け取った紙幣を確認のために全てテーブル上に並べる方法と比較して、紙幣の確認作業に必要な時間が大幅に短縮されるため、時間当たりの売上を大幅に向上させることができる。また、従来のような、ディーラーが端末機に取引情報を手入力する方法と比較して、紙幣処理装置において紙幣の計数が自動的に行われるため入力間違いや入力忘れ等が発生することを防止することができる。また、紙幣が一時的に保留される一時保留部を撮影部により撮影し、撮影された一時保留部の映像を出力することにより、ディーラーおよびプレーヤーの双方にとって紙幣の計数動作に不正がないことを証明することができ、このためカジノ等の運用形態に適合させることができるようになる。
【００１２】
上記の紙幣処理装置は、前記出力部により出力された映像を表示するための表示部を更に備えていてもよい。
【００１３】
上記の紙幣処理装置は、前記出力部により出力された映像を記憶するための記憶部を更に備えていてもよい。
【００１４】
この場合、上記の紙幣処理装置は、前記出力部により出力された映像を表示するための表示部を更に備え、前記表示部に、前記記憶部に記憶された映像を再生して表示させることができるようになっていてもよい。
【００１５】
上記の紙幣処理装置は、前記出力部により出力された映像を、前記紙幣処理装置とは別に設けられた外部装置に送信するための通信部を更に備えていてもよい。
【００１６】
上記の紙幣処理装置は、前記搬送部に接続され、前記識別部により正常な紙幣ではないと識別されたリジェクト紙幣が送られるリジェクト部と、前記リジェクト部を撮影する追加撮影部と、を更に備えていてもよい。
【００１７】
上記の紙幣処理装置においては、前記出力部は、前記識別部による紙幣の識別結果と、前記撮影部により撮影された映像とを紐付けて出力するようになっていてもよい。
【００１８】
上記の紙幣処理装置においては、前記一時保留部は、前記搬送部から送られた紙幣が帯状の巻取部材により回転体に巻かれるような構成のものからなっていてもよい。
【００１９】
あるいは、前記一時保留部は、前記搬送部から送られた紙幣が載置台上に積層状態で集積されるような構成のものからなっていてもよい。
【００２０】
上記の紙幣処理装置においては、前記一時保留部は複数設けられており、前記収納部は、前記筐体から取り出し可能となっており、前記筐体から前記収納部が取り出されたときに、複数の前記一時保留部のうち少なくとも一つの前記一時保留部が、紙幣を収納する仮収納部として機能するようになっており、前記撮影部は、前記一時保留部が前記仮収納部として機能するときには当該一時保留部の撮影を行わないようになっていてもよい。
【００２１】
本発明の紙幣処理装置は、紙幣を筐体の外部から内部に投入するための投入部と、前記筐体内で紙幣を搬送する搬送部と、前記搬送部に接続され、当該搬送部から送られた紙幣が集積される集積部と、前記集積部を撮影する撮影部と、を備えたことを特徴とする。
【００２２】
このような紙幣処理装置によれば、集積部を撮影部により撮影することにより、ディーラーおよびプレーヤーの双方にとって紙幣の計数動作に不正がないことを証明することができ、このためカジノ等の運用形態に適合させることができるようになる。
【００２３】
上記の紙幣処理装置においては、前記搬送部には、当該搬送部により搬送される紙幣を識別する識別部が設けられており、前記集積部は、前記識別部により識別された紙幣を一時的に保留する一時保留部を含み、前記搬送部には、前記一時保留部に一時的に保留された紙幣を収納する収納部が接続されていてもよい。
【００２４】
この場合、前記収納部は、前記筐体から取り出し可能となっていてもよい。
【００２５】
また、前記収納部は、鉛直方向における前記一時保留部の上方に配置されていてもよい。
【００２６】
上記の紙幣処理装置は、前記撮影部により撮影された前記集積部の映像を出力する出力部を更に備えていてもよい。
【００２７】
この場合、上記の紙幣処理装置は、前記出力部により出力された映像を表示するための表示部を更に備えていてもよい。
【００２８】
また、上記の紙幣処理装置は、前記出力部により出力された映像を記憶するための記憶部を更に備えていてもよい。
【００２９】
このときに、上記の紙幣処理装置は、前記出力部により出力された映像を表示するための表示部を更に備え、前記表示部に、前記記憶部に記憶された映像を再生して表示させることができるようになっていてもよい。
【００３０】
また、上記の紙幣処理装置は、前記出力部により出力された映像を、前記紙幣処理装置とは別に設けられた外部装置に送信するための通信部を更に備えていてもよい。
【００３１】
上記の紙幣処理装置は、前記搬送部に接続され、前記識別部により正常な紙幣ではないと識別されたリジェクト紙幣が送られるリジェクト部と、前記リジェクト部を撮影する追加撮影部と、を更に備えていてもよい。
【００３２】
上記の紙幣処理装置においては、前記集積部は、前記搬送部から送られた紙幣が帯状の巻取部材により回転体に巻かれるような構成のものからなっていてもよい。
【００３３】
あるいは、前記集積部は、前記搬送部から送られた紙幣が載置台上に積層状態で集積されるような構成のものからなっていてもよい。
【００３４】
本発明の紙幣処理方法は、紙幣処理装置の筐体の外部から内部に投入された紙幣を識別部により識別した後に一時保留部で一時的に保留させる工程と、前記一時保留部を撮影部により撮影する工程と、前記撮影部により撮影された前記一時保留部の映像を出力する工程と、前記一時保留部に一時的に保留された紙幣を収納部に収納させる工程と、を備えたことを特徴とする。
【００３５】
このような紙幣処理方法によれば、一時保留部を撮影部により撮影し、撮影部により撮影された一時保留部の映像を出力部により出力するようになる。このため、従来のような、ディーラーがプレーヤーから受け取った紙幣を確認のために全てテーブル上に並べる方法と比較して、紙幣の確認作業に必要な時間が大幅に短縮されるため、時間当たりの売上を大幅に向上させることができる。また、従来のような、ディーラーが端末機に取引情報を手入力する方法と比較して、紙幣処理装置において紙幣の計数が自動的に行われるため入力間違いや入力忘れ等が発生することを防止することができる。また、紙幣が一時的に保留される一時保留部を撮影部により撮影し、撮影された一時保留部の映像を出力することにより、ディーラーおよびプレーヤーの双方にとって紙幣の計数動作に不正がないことを証明することができ、このためカジノ等の運用形態に適合させることができるようになる。
【発明の効果】
【００３６】
本発明の紙幣処理装置および紙幣処理方法によれば、紙幣が一時的に保留される一時保留部を撮影部により撮影し、撮影された一時保留部の映像を出力することにより、ディーラーおよびプレーヤーの双方にとって紙幣の計数動作に不正がないことを証明することができ、カジノ等の運用形態に適合させることができる。
【００３７】
本発明の他の紙幣処理装置によれば、筐体内において紙幣が集積される集積部を撮影部により撮影することにより、ディーラーおよびプレーヤーの双方にとって紙幣の計数動作に不正がないことを証明することができ、カジノ等の運用形態に適合させることができる。
【図面の簡単な説明】
【００３８】
【図１】本発明の実施の形態による紙幣処理装置が設けられたテーブルの構成を示す斜視図であって、紙幣処理装置の筐体内に紙幣収納カセットが収容されているときの状態を示す図である。
【図２】本発明の実施の形態による紙幣処理装置が設けられたテーブルの構成を示す斜視図であって、紙幣処理装置の筐体から紙幣収納カセットが引き出されるときの状態を示す図である。
【図３】図１および図２に示す紙幣処理装置の内部構成の一例を示す側面図である。
【図４】図３に示す紙幣処理装置の制御系の構成を示す機能ブロック図である。
【図５】図３に示す紙幣処理装置の近傍に設けられた表示装置における表示画面の一例を示す図である。
【図６】図３に示す紙幣処理装置の近傍に設けられた表示装置における表示画面の他の例を示す図である。
【図７】図３に示す紙幣処理装置の近傍に設けられた表示装置における表示画面の更に他の例を示す図である。
【図８】図３に示す紙幣処理装置の近傍に設けられた表示装置における表示画面の更に他の例を示す図である。
【図９】図１および図２に示す紙幣処理装置の内部構成の他の例を示す側面図である。
【図１０】図３に示す紙幣処理装置を含む、カジノの管理システムの構成の概略を示す概略構成図である。
【図１１】図１０に示すカジノの管理システムに設けられた監視用モニターの表示画面を示す図である。
【発明を実施するための形態】
【００３９】
以下、図面を参照して本発明の実施の形態について説明する。図１乃至図１１は、本実施の形態による紙幣処理装置やこの紙幣処理装置が設けられたテーブル等を示す図である。図１および図２に示すように、本実施の形態による紙幣処理装置２０は、カジノ等に設置されるテーブル１０に設けられており、当該テーブル１０において紙幣とチップとの交換が行われる際に、プレーヤーからディーラーに手渡された紙幣が当該ディーラーにより紙幣処理装置２０に入金されるようになっている。
【００４０】
まず、本実施の形態による紙幣処理装置２０が設けられたテーブル１０の構成について図１および図２を用いて説明する。テーブル１０における手前側の直線縁側には、ディーラーや、１または複数のテーブル１０毎に一人ずつ配置される管理者であるスーパーバイザーが位置するようになっている。また、テーブル１０における奧側の直線縁側および左右両側の曲線縁側には、テーブルゲームを行う複数のプレーヤーが位置するようになっている。上述したように、このようなテーブル１０で行われるテーブルゲームにおいてはチップが使用されるようになっており、このチップはディーラーを相手にしてプレーヤーが所持する紙幣と交換することができるようになっている。また、図１および図２に示すように、テーブル１０における手前側の直線縁側の中央付近には、複数のチップが収容されるチップホルダ１２が設けられている。
【００４１】
また、テーブル１０における手前側の直線縁側には、ディーラーにより紙幣が入金される紙幣処理装置２０が設けられている。このような紙幣処理装置２０の構成の詳細について図３を用いて説明する。
【００４２】
図３に示すように、紙幣処理装置２０は、テーブル１０の上側に設けられた略直方体形状の上側筐体２０ａと、テーブル１０の下側に設けられた略直方体形状の下側筐体２０ｂとを有しており、当該紙幣処理装置２０はテーブル１０を上下に貫通するようになっている。また、紙幣処理装置２０の上側筐体２０ａの前面（図３における右側の側面）には、紙幣を上側筐体２０ａの外部から内部に投入するための投入部２２および後述するリジェクト紙幣を上側筐体２０ａの内部から外部に投出するためのリジェクト部３０が上下に並ぶよう設けられている。投入部２２には、ディーラーにより当該投入部２２に積層状態で投入された複数の紙幣を１枚ずつ上側筐体２０ａの内部に繰り出すための繰出機構２４が設けられている。
【００４３】
また、紙幣処理装置２０の上側筐体２０ａおよび下側筐体２０ｂの内部には搬送部２６が設けられており、この搬送部２６は、繰出機構２４により投入部２２から上側筐体２０ａ内に繰り出された紙幣を、上側筐体２０ａや下側筐体２０ｂの内部で１枚ずつ搬送するようになっている。なお、図３に示すように、搬送部２６は、テーブル１０を上下に貫通しており、上側筐体２０ａの内部領域と下側筐体２０ｂの内部領域との間で紙幣を受け渡すことができるようになっている。また、搬送部２６には識別部２８が設けられており、繰出機構２４により上側筐体２０ａ内に繰り出された紙幣は識別部２８によりその金種、真偽、正損、新旧等が識別されるようになっている。具体的には、識別部２８は例えばイメージセンサを有しており、当該イメージセンサにより紙幣の表面の画像が取得されるようになっている。そして、識別部２８は、イメージセンサにより取得された紙幣の表面の画像に基づいて当該紙幣の金種、真偽、正損、新旧等を識別するようになっている。また、この際に、識別部２８は、イメージセンサにより取得された紙幣の表面の画像に基づいて当該紙幣の記番号をＯＣＲ（光学文字認識）により読み取るようになっている。
【００４４】
また、紙幣処理装置２０において、下側筐体２０ｂ内には、複数（図３に示す例では３つ）の一時保留部３２が設けられており、各一時保留部３２はそれぞれ搬送部２６に接続されている。各一時保留部３２は、搬送部２６から送られた紙幣を収納するとともに収納された紙幣を１枚ずつ搬送部２６に繰り出すことができるようになっている。より詳細には、識別部２８による識別結果に基づいて、繰出機構２４により上側筐体２０ａ内に繰り出された紙幣は搬送部２６により上方の一時保留部３２から順に各一時保留部３２に送られてこれらの一時保留部３２に金種混合状態で収納されるようになっている。図３に示す構成例では、各一時保留部３２は、搬送部２６から送られた紙幣が帯状のテープ（巻取部材）によりドラム（回転体）に巻かれるような構成のテープリール式のものが用いられるようになっている。具体的には、搬送部２６から各一時保留部３２に送られた紙幣は、一対の帯状のテープに挟まれた状態でこれらのテープごとドラムに巻かれることにより各一時保留部３２に収納されるようになっている。本実施の形態による紙幣処理装置２０では、各一時保留部３２に紙幣が一時的に保留された後、ディーラーにより入金確定の指令が後述する制御部６０に与えられると、各一時保留部３２に保留された紙幣が当該一時保留部３２から搬送部２６に繰り出されて後述する紙幣収納カセット４０に送られるようになっている。なお、本実施の形態では、識別部２８により識別された紙幣が搬送部２６により上方の一時保留部３２から順に各一時保留部３２に送られてこれらの一時保留部３２に金種混合状態で収納されるような態様に限定されることはなく、代わりに、識別部２８により識別された紙幣が金種毎に各一時保留部３２に収納されるようになっていてもよい。
【００４５】
また、図３に示すように、紙幣処理装置２０の下側筐体２０ｂ内において、紙幣収納カセット４０が着脱自在に装着されるカセット装着部４２が設けられている。カセット装着部４２は搬送部２６に接続されており、カセット装着部４２に紙幣収納カセット４０が装着されているときに、搬送部２６から紙幣収納カセット４０に紙幣を送って当該紙幣収納カセット４０に紙幣を収納させることができるようになっている。また、図３に示すように、下側筐体２０ｂ内においてカセット装着部４２は鉛直方向における各一時保留部３２の上方に設けられており、紙幣収納カセット４０はカセット装着部４２に装着されたときに各一時保留部３２の上方に位置するようになる。このことにより、カセット装着部４２に対する紙幣収納カセット４０の着脱動作を行うときの操作性を向上させることができる。また、紙幣収納カセット４０の内部には載置台４０ａが設けられており、搬送部２６から紙幣収納カセット４０に送られた紙幣は当該載置台４０ａ上に積層状態で集積されるようになっている。また、このような紙幣収納カセット４０を下側筐体２０ｂから外側に引き出すことにより、紙幣処理装置２０から紙幣収納カセット４０ごと紙幣を回収することができるようになる。
【００４６】
図１および図２に示すように、紙幣処理装置２０の下側筐体２０ｂの前面には上側扉２０ｃおよび下側扉２０ｄが設けられており、上側扉２０ｃを開くことにより、下側筐体２０ｂの内部から紙幣収納カセット４０を手前側に引き出して当該下側筐体２０ｂから取り出すことができるようになっている。また、各一時保留部３２において紙幣の詰まり等のトラブルが発生した場合には、下側扉２０ｄを開くことにより、各一時保留部３２にアクセスして詰まりの原因となる紙幣を取り除くことができるようになる。
【００４７】
また、図３に示すように、各一時保留部３２には、当該一時保留部３２のドラムおよびその周辺を撮影するビデオカメラ等の撮影部５０が設けられている。また、各一時保留部３２には、撮影部５０により撮影される箇所に光を照射する投光部５２が設けられている。投光部５２により光が照射された状態で一時保留部３２のドラムおよびその周辺が撮影部５０により撮影されることにより、撮影部５０により撮影される映像を鮮明なものとすることができるようになる。
【００４８】
また、図３に示すように、リジェクト部３０にも、当該リジェクト部３０を撮影するビデオカメラ等の追加撮影部５４が設けられている。また、リジェクト部３０には、追加撮影部５４により撮影される箇所に光を照射する追加投光部５６が設けられている。追加投光部５６により光が照射された状態でリジェクト部３０が追加撮影部５４により撮影されることにより、追加撮影部５４により撮影される映像を鮮明なものとすることができるようになる。
【００４９】
また、紙幣処理装置２０の近傍には、タッチパネル等の操作表示部が設けられた表示装置７０が設けられている。この表示装置７０は、テーブル１０の近傍においてディーラーおよびプレーヤーの双方が図５等に示すような表示画面７２を見ることができる位置に配置されている。このような表示装置７０には、識別部２８による紙幣の識別結果に加えて、各撮影部５０により撮影された各一時保留部３２の映像や、追加撮影部５４により撮影されたリジェクト部３０の映像が表示されるようになっている。表示装置７０における表示内容の詳細については後述する。
【００５０】
次に、紙幣処理装置２０の制御系の構成について図４に示す機能ブロック図を用いて説明する。
【００５１】
図４に示すように、紙幣処理装置２０には、当該紙幣処理装置２０の各構成部材の制御を行う制御部６０が設けられている。より詳細には、制御部６０には繰出機構２４、搬送部２６、識別部２８、各一時保留部３２、各撮影部５０、各投光部５２、追加撮影部５４、追加投光部５６等がそれぞれ接続されており、識別部２８による紙幣の識別結果に係る情報が制御部６０に送られるとともに、制御部６０は繰出機構２４、搬送部２６、各一時保留部３２、各撮影部５０、各投光部５２、追加撮影部５４、追加投光部５６等に指令信号を送ることによりこれらの構成部材の制御を行うようになっている。また、制御部６０には記憶部６２、出力部６４、通信部６６がそれぞれ接続されている。記憶部６２には、紙幣処理装置２０による紙幣の処理状況に係る情報（すなわち、入金処理履歴）や紙幣収納カセット４０に収納されている紙幣の金種毎の枚数等の情報が記憶されるようになっている。また、撮影部５０や追加撮影部５４により撮影された映像も記憶部６２に記憶されるようになっていてもよい。また、出力部６４は、各撮影部５０により撮影された各一時保留部３２の映像や、追加撮影部５４により撮影されたリジェクト部３０の映像を出力するようになっている。この際に、出力部６４は、各種の映像と、テーブル１０の番号とを紐付けて出力してもよい。出力部６４により出力された各種の映像は、通信部６６（後述）により表示装置７０に送信されて当該表示装置７０に表示されたり、記憶部６２に記憶されたりするようになっている。なお、出力部６４が各種の映像とテーブル１０の番号とを紐付けて出力した場合には、各種の映像がテーブル１０の番号とともに表示装置７０に表示されたり、各種の映像とテーブル１０の番号とが紐付けられた状態で記憶部６２に記憶されたりするようになる。また、通信部６６は、紙幣処理装置２０とは別に設けられた表示装置７０や上位端末８０と信号の送受信を行うようになっている。本実施の形態では、このような通信部６６により、出力部６４により出力された各種の映像を表示装置７０や上位端末８０に送信することができるようになっている。
【００５２】
次に、このような構成からなる本実施の形態の紙幣処理装置２０の動作について以下に説明する。
【００５３】
チップと交換された紙幣をプレーヤーから受け取ったディーラーは、当該紙幣を紙幣処理装置２０の上側筐体２０ａの前面に設けられた投入部２２に積層状態で投入する。投入部２２に投入された紙幣は、繰出機構２４により１枚ずつ上側筐体２０ａの内部に繰り出され、搬送部２６により搬送される。この際に、当該紙幣は識別部２８のイメージセンサによりその表面の画像が取得され、イメージセンサにより取得された紙幣の表面の画像に基づいて当該紙幣の金種、真偽、正損、新旧等が識別される。また、この際に、イメージセンサにより取得された紙幣の表面の画像に基づいて当該紙幣の記番号がＯＣＲ（光学文字認識）により読み取られる。識別部２８により正常な紙幣であると識別された紙幣は、搬送部２６により上方の一時保留部３２から順に各一時保留部３２に送られてこれらの一時保留部３２に金種混合状態で収納される。一方、識別部２８により正常な紙幣ではないと識別された紙幣や識別部２８により識別することができなかった紙幣はリジェクト紙幣をとして搬送部２６によりリジェクト部３０に送られる。
【００５４】
投入部２２に投入された紙幣が全て各一時保留部３２やリジェクト部３０に送られた後、表示装置７０におけるタッチパネル等の操作表示部によりディーラーが入金確定の指令を入力すると（具体的には、図５に示すような表示装置７０の表示画面７２において「Ａｃｃｅｐｔ」というボタンにディーラーの指が触れると）、各一時保留部３２から搬送部２６に紙幣が１枚ずつ繰り出され、繰り出された紙幣は当該搬送部２６によってカセット装着部４２に装着されている紙幣収納カセット４０に送られ、この紙幣収納カセット４０に積層状態で収納される。そして、各一時保留部３２から紙幣収納カセット４０に紙幣が全て送られると、紙幣処理装置２０における一連の入金処理の動作が完了する。
【００５５】
また、紙幣処理装置２０においてこのような紙幣の入金処理が行われる間、投光部５２により光が照射された状態で一時保留部３２のドラムおよびその周辺が撮影部５０により撮影される。また、この際に、追加投光部５６により光が照射された状態でリジェクト部３０が追加撮影部５４により撮影される。各撮影部５０により撮影された各一時保留部３２の映像や、追加撮影部５４により撮影されたリジェクト部３０の映像は出力部６４により出力され、出力部６４により出力された各種の映像は、表示装置７０に送信されて当該表示装置７０に表示される。また、出力部６４により出力された各種の映像は、記憶部６２に記憶される。
【００５６】
紙幣処理装置２０において紙幣の入金処理が行われる際における表示装置７０の表示画面７２の様々な例を図５乃至図８に示す。
【００５７】
図５は、表示装置７０における表示画面７２の一例を示す図である。図５に示す表示画面７２では、識別部２８により識別された紙幣の各々について、その記番号、イメージ画像、通貨の種類（具体的には、通貨の発行国や発行組織等に係る情報）および金種が表示される。なお、表示画面７２に表示される記番号は、識別部２８においてＯＣＲ（光学文字認識）により読み取られたデータであってもよく、あるいは記番号部分のイメージ画像であってもよい。また、この表示画面７２では、各撮影部５０により撮影された各一時保留部３２の映像が、図５において参照符号７２ａで示される領域に表示される。このように、本実施の形態では、出力部６４は、識別部２８による紙幣の識別結果と、撮影部５０により撮影された一時保留部３２の映像とを紐付けて出力するようになっており、表示装置７０には、出力部６４により出力された紙幣の識別結果および一時保留部３２の映像が同時に表示されるようになっている。このように、一時保留部３２の映像が表示装置７０に表示されることにより、ディーラーおよびプレーヤーの双方が表示装置７０に表示された一時保留部３２の映像を見ることができるようになり、このためディーラーおよびプレーヤーの双方にとって紙幣の計数動作に不正がないことを証明することができ、本実施の形態による紙幣処理装置２０をカジノ等の運用形態に適合させることができるようになる。
【００５８】
また、本実施の形態では、表示装置７０において、紙幣処理装置２０の記憶部６２に記憶された映像を再生して表示させることができるようになっている。具体的には、図５に示すような表示装置７０の表示画面７２において、「Ｓｌｏｗ」というボタンにディーラーの指が触れると、表示装置７０の領域７２ａには、紙幣処理装置２０の記憶部６２に記憶された映像が、再生速度が下げられた状態で表示されるようになる。このことにより、ディーラーやプレーヤーが、撮影部５０により撮影された一時保留部３２の映像を見逃した場合でも、当該映像を再生させることにより、一時保留部３２に一時的に保留される紙幣を確認することができるようになる。また、映像の再生速度を下げることにより、搬送部２６から一時保留部３２に送られる紙幣を１枚ずつ目視にて確認することができるようになる。
【００５９】
なお、表示装置７０における表示画面７２は図５に示すようなものに限定されることはない。表示装置７０において、図６に示すような表示画面７２が表示されるようになっていてもよい。図６に示すような表示装置７０の表示画面７２では、「一時保留部」「リジェクト部」という２つのタブが画面上部に表示されるようになっている。ここで、「一時保留部」というタブにディーラーの指が触れると、表示装置７０には、図５に示す表示画面７２と同様に、識別部２８により識別された紙幣の各々について、その記番号、イメージ画像、通貨の種類（具体的には、通貨の発行国や発行組織等に係る情報）および金種が表示される。一方、「リジェクト部」とうタブにディーラーの指が触れると、表示装置７０には、リジェクト部３０に送られた紙幣の各々について、その記番号、イメージ画像およびリジェクト要因が表示される。また、図６に示す表示装置７０の表示画面７２では、各撮影部５０により撮影された各一時保留部３２の映像が、図６において参照符号７２ａで示される領域に表示されるとともに、追加撮影部５４により撮影されたリジェクト部３０の映像が、図６において参照符号７２ｂで示される領域に表示されるようになる。このことにより、ディーラーおよびプレーヤーの双方が表示装置７０に表示されたリジェクト部３０の映像を見ることができるようになり、このためリジェクト部３０に送られたリジェクト紙幣をディーラーおよびプレーヤーの双方が表示装置７０の表示画面７２によって目視にて確認することができるようになる。
【００６０】
また、本実施の形態では、表示装置７０にチップの交換画面やチップ交換におけるチップの種類毎の枚数の指定画面を表示させることができるようになっている。具体的には、図５に示すような表示装置７０の表示画面７２において、「Ｃｈｉｐ」というボタンにディーラーの指が触れると、表示装置７０の表示画面７２が図７に示すようなチップの交換画面に切り替わるようになる。図７に示すようなチップの交換画面では、紙幣処理装置２０における紙幣の入金処理により紙幣収納カセット４０に収納された紙幣の金種毎の枚数が画面の左側に表示されるとともに、紙幣処理装置２０に入金された紙幣の合計金額と同じ合計金額となるようなチップの種類毎の枚数構成が画面の右側に表示されるようになる。このことにより、ディーラーは、表示装置７０の表示画面７２に表示されたチップの種類毎の枚数構成を見ることにより、紙幣と交換されるチップをプレーヤーに素早く手渡すことができるようになる。また、図７に示すような表示装置７０の表示画面７２において、「チップ指定」というボタンにディーラーの指が触れると、表示装置７０の表示画面７２が図８に示すようなチップ交換におけるチップの種類毎の枚数の指定画面に切り替わるようになる。図８に示すような画面では、ディーラーがチップの種類毎に枚数を手入力することができるようになる。また、図７に示すような表示装置７０の表示画面７２において、「次候補」というボタンにディーラーの指が触れると、図７に示すようなチップの枚数構成とは別のチップの枚数構成の例が表示装置７０に表示されるようになる。
【００６１】
以上のような構成からなる本実施の形態の紙幣処理装置２０によれば、一時保留部３２を撮影部５０により撮影し、撮影部５０により撮影された一時保留部３２の映像を出力部６４により出力するようになっている。このため、従来のような、ディーラーがプレーヤーから受け取った紙幣を確認のために全てテーブル上に並べる方法と比較して、紙幣の確認作業に必要な時間が大幅に短縮されるため、時間当たりの売上を大幅に向上させることができる。また、従来のような、ディーラーが端末機に取引情報を手入力する方法と比較して、紙幣処理装置２０において紙幣の計数が自動的に行われるため入力間違いや入力忘れ等が発生することを防止することができる。また、紙幣が一時的に保留される一時保留部３２を撮影部５０により撮影し、撮影された一時保留部３２の映像を出力することにより、ディーラーおよびプレーヤーの双方にとって紙幣の計数動作に不正がないことを証明することができ、このためカジノ等の運用形態に適合させることができるようになる。
【００６２】
また、本実施の形態では、上述したように、出力部６４により出力された映像は表示装置７０に表示されるようになっている。なお、このような形態の代わりに、紙幣処理装置２０においてモニター等の表示部を例えば上側筐体２０ａの前面や上面に設置し、出力部６４により出力された映像をこの表示部に表示させるようにしてもよい。
【００６３】
また、本実施の形態では、上述したように、出力部６４により出力された映像を記憶するための記憶部６２が紙幣処理装置２０に設けられている。また、表示装置７０に、記憶部６２に記憶された映像を再生して表示させることができるようになっている。なお、紙幣処理装置２０においてモニター等の表示部が上側筐体２０ａの前面や上面に設置されている場合には、この表示部に、記憶部６２に記憶された映像を再生して表示させてもよい。また、出力部６４により出力された映像を記憶するための記憶部を、紙幣処理装置２０ではなく上位端末に設けてもよく、あるいはこのような記憶部を紙幣処理装置２０および上位端末の両方に設けてもよい。
【００６４】
また、本実施の形態の紙幣処理装置２０においては、上述したように、出力部６４により出力された映像を、紙幣処理装置２０とは別に設けられた外部装置（例えば、表示装置７０や上位端末８０）に送信するための通信部６６が設けられている。この場合には、紙幣処理装置２０とは別に設けられた外部装置により、撮影部５０により撮影された一時保留部３２の映像を見ることができるようになる。
【００６５】
また、本実施の形態の紙幣処理装置２０においては、上述したように、搬送部２６には、識別部２８により正常な紙幣ではないと識別されたリジェクト紙幣が送られるリジェクト部３０が接続されており、このリジェクト部３０は追加撮影部５４により撮影されるようになっている。この場合には、ディーラーおよびプレーヤーの双方がリジェクト部３０の映像を見ることができるようになり、このためリジェクト部３０に送られたリジェクト紙幣をディーラーおよびプレーヤーの双方が目視にて確認することができるようになる。
【００６６】
また、本実施の形態の紙幣処理装置２０においては、出力部６４は、識別部２８による紙幣の識別結果と、撮影部５０により撮影された映像とを紐付けて出力するようになっている。このことにより、ディーラーやプレーヤーは、識別部２８による紙幣の識別結果および撮影部５０により撮影された映像を同時に見ることができるようになるため、両者を見比べながら紙幣の計数動作に不正がないことを証明することができるようになる。
【００６７】
また、本実施の形態の紙幣処理装置２０においては、一時保留部３２は、搬送部２６から送られた紙幣が帯状の巻取部材（テープ）により回転体（ドラム）に巻かれるような構成のものからなっている。
【００６８】
なお、本実施の形態による紙幣処理装置は、上述したような態様に限定されることはなく、様々な変更を加えることができる。
【００６９】
例えば、本実施の形態の紙幣処理装置において、図３に示す紙幣処理装置２０のように一時保留部３２が複数設けられている場合には、下側筐体２０ｂから紙幣収納カセット４０が取り出されたときに、複数の一時保留部３２のうち少なくとも一つの一時保留部３２が、紙幣を収納する仮収納部として機能するようになっていてもよい。このような紙幣処理装置２０において、紙幣収納カセット４０がカセット装着部４２に装着されて下側筐体２０ｂの内部に再び収容されると、仮収納部として機能する一時保留部３２から搬送部２６に紙幣が１枚ずつ繰り出されて紙幣収納カセット４０に送られるようになる。また、一時保留部３２に設けられた撮影部５０は、一時保留部３２が仮収納部として機能するときには当該一時保留部３２の撮影を行わないようになっている。仮収納部として機能する一時保留部３２に送られる紙幣は、既に他の一時保留部３２に一時的に保留されたものでありこのような紙幣は既に撮影部５０により撮影されているからである。
【００７０】
また、図３に示すような構成の紙幣処理装置２０の代わりに、図９に示すような構成の紙幣処理装置２０ｐを用いてもよい。図９に示すような紙幣処理装置２０ｐでは、搬送部２６から送られた紙幣が帯状の巻取部材（テープ）により回転体（ドラム）に巻かれるような構成のテープリール式の一時保留部３２が用いられる代わりに、搬送部２６から送られた紙幣が載置台３３ａ上に積層状態で集積されるような構成のスタッカ式の一時保留部３３が用いられるようになっている。ここで、載置台３３ａは一時保留部３３内において昇降自在となっており、搬送部２６から一時保留部３３に紙幣が送られる度に載置台３３ａは少しずつ下降するようになっている。また、一時保留部３３には、当該一時保留部３３に一時的に保留されている紙幣を搬送部２６に１枚ずつ繰り出すための繰出機構３３ｂが設けられている。そして、一時保留部３３から搬送部２６に紙幣を繰り出す際には、載置台３３ａが上昇することにより当該載置台３３ａに積層状態で載置された紙幣のうち最上層の紙幣が繰出機構３３ｂに接するようになり、この最上層の紙幣が繰出機構３３ｂにより搬送部２６に繰り出されるようになる。
【００７１】
図９に示すような構成の紙幣処理装置２０ｐでも、図３に示すような構成の紙幣処理装置２０と同様に、各一時保留部３３には、当該一時保留部３３の載置台３３ａおよびその周辺を撮影するビデオカメラ等の撮影部５０が設けられている。また、各一時保留部３３には、撮影部５０により撮影される箇所に光を照射する投光部５２が設けられている。投光部５２により光が照射された状態で一時保留部３３の載置台３３ａおよびその周辺が撮影部５０により撮影されることにより、撮影部５０により撮影される映像を鮮明なものとすることができるようになる。また、撮影部５０により撮影された一時保留部３３の映像は、出力部６４により出力される。
【００７２】
このように、図９に示すような紙幣処理装置２０ｐでは、図３に示すような紙幣処理装置２０と同様に、紙幣が一時的に保留される一時保留部３３を撮影部５０により撮影し、撮影された一時保留部３３の映像を出力することにより、ディーラーおよびプレーヤーの双方にとって紙幣の計数動作に不正がないことを証明することができ、このためカジノ等の運用形態に適合させることができるようになる。
【００７３】
また、紙幣収納カセット４０は、搬送部２６から当該紙幣収納カセット４０に送られた紙幣が載置台４０ａ上に積層状態で集積されるような構成のスタッカ式のものに限定されることはない。他の構成の紙幣収納カセット４０として、搬送部２６から送られた紙幣が帯状の巻取部材（テープ）により回転体（ドラム）に巻かれるような構成のテープリール式のものが用いられてもよい。
【００７４】
また、本実施の形態の紙幣処理装置は、入金された紙幣が、下側筐体２０ｂから着脱自在となっている紙幣収納カセット４０に収納されるような構成のものに限定されることはない。変形例に係る紙幣処理装置として、入金された紙幣が、下側筐体２０ｂ内に設けられ当該下側筐体２０ｂから取り出すことができないような収納部に収納されるようになっていてもよい。
【００７５】
また、本実施の形態の紙幣処理装置では、搬送部２６から送られた紙幣が集積される集積部が筐体の内部に設けられており、この集積部が撮影部により撮影されるような構成のものが用いられてもよい。ここで、集積部として、上記の紙幣処理装置２０における一時保留部３２や紙幣処理装置２０ｐにおける一時保留部３３が含まれている。また、一時保留部が設けられないような構成の紙幣処理装置では、識別部２８により識別された紙幣が収納部に直接的に収納されるようになるが、このような収納部が撮影部により撮影されるようになっていてもよい。この場合には、集積部として、識別部２８により識別された紙幣が収納される収納部が含まれるようになる。
【００７６】
また、図３に示す紙幣処理装置２０が設けられるカジノの管理システムの構成の一例について図１０を用いて説明する。図１０に示すカジノの管理システムでは、各テーブル１０に設けられた紙幣処理装置２０は、上位端末としての管理サーバー１００にそれぞれ通信可能に接続されている。ここで、各紙幣処理装置２０の管理を行う管理サーバー１００は、カジノにおける管理ルーム等に設置されている。そして、図１０に示すカジノの管理システムでは、紙幣処理装置２０において入金処理が行われた紙幣の計数結果（具体的には、紙幣処理装置２０の識別部２８による紙幣の識別結果）や撮影部５０により撮影された一時保留部３２の映像等は管理サーバー１００に送信され、当該管理サーバー１００により管理されるようになっている。また、図１０に示すように、カジノの管理システムにおいて、各テーブル１０の監視を行うための監視用モニター１４１が設置された監視用モニタールーム１４０が設けられている。このような監視用モニター１４１の表示画面１４２を図１１に示す。図１１に示すように、監視用モニター１４１の表示画面１４２には、各テーブル１０を撮影した映像１４２ａ〜１４２ｆがテーブル１０毎に表示されるようになっており、各テーブル１０において不正が行われていないかを当該監視用モニター１４１によりチェックすることができるようになっている。また、本実施の形態では、監視用モニター１４１の表示画面１４２を、図１１に示すような各テーブル１０を撮影した映像１４２ａ〜１４２ｆから、撮影部５０により撮影された一時保留部３２の映像や追加撮影部５４により撮影されたリジェクト部３０に映像に切り替えることができるようになっている。また、監視用モニター１４１の表示画面１４２に、テーブル１０の映像、各一時保留部３２の映像およびリジェクト部３０の映像を同時に表示することができるようになっていてもよい。
【００７７】
また、テーブル１０が設けられたプレールームとは別に、各紙幣処理装置２０の下側筐体２０ｂから取り出された紙幣収納カセット４０が運搬される計数ルーム１２０が、カジノ内におけるプレーヤーが出入りすることができない領域に設けられている。このような計数ルーム１２０には、紙幣の計数を行う紙幣計数機１２２が設けられており、当該計数ルーム１２０において紙幣収納カセット４０の内部から取り出された紙幣が紙幣計数機１２２により計数されるようになっている。また、紙幣計数機１２２も管理サーバー１００に通信可能に接続されており、紙幣計数機１２２による紙幣の計数結果は管理サーバー１００に送信されるようになっている。また、紙幣計数機１２２には表示装置１２４が接続されており、当該表示装置１２４に、紙幣計数機１２２による紙幣の計数結果等を表示させることができるようになっている。また、表示装置１２４が操作者により操作可能となっている場合には、紙幣計数機１２２による紙幣の計数が行われて紙幣の計数結果が表示装置１２４に表示された後、操作者が承認の指令を表示装置１２４に入力することにより、紙幣計数機１２２による紙幣の計数結果が管理サーバー１００に送信されるようになっていてもよい。同様に、紙幣処理装置２０において入金処理が行われた紙幣の計数結果（具体的には、紙幣処理装置２０の識別部２８による紙幣の識別結果）が表示装置７０に表示された後、操作者が承認の指令を表示装置７０に入力することにより、紙幣処理装置２０において入金処理が行われた紙幣の計数結果が管理サーバー１００に送信されるようになっていてもよい。また、別の例では、紙幣計数機１２２による紙幣の計数結果を表示するための表示部がターミナル（図示せず）に設けられており、当該ターミナルから紙幣の計数結果が管理サーバー１００に送られるようになっていてもよい。
【００７８】
図１０に示すカジノの管理システムでは、管理サーバー１００において、各紙幣処理装置２０において入金処理が行われた紙幣の計数結果（具体的には、紙幣処理装置２０の識別部２８による紙幣の識別結果）と、紙幣計数機１２２による紙幣の計数結果とが比較されるようになっている。そして、両者の計数結果が異なる場合には、管理サーバー１００は、紙幣収納カセット４０の運搬中に何らかのトラブル（例えば、紙幣収納カセット４０からの紙幣の不正な抜き取り）が発生したと判断し、カジノの管理者等に対して警告を行うようになっている。
【００７９】
また、図１０に示すカジノの管理システムにおいて、紙幣収納カセット４０として、紙幣処理装置２０から取り出されたときに当該紙幣収納カセット４０の扉がロックされることによりこの紙幣収納カセット４０の内部から紙幣を抜き取ることができないような構成のものが用いられてもよい。また、この場合、紙幣計数機１２２として、当該紙幣計数機１２２に紙幣収納カセット４０がセットされるとこの紙幣収納カセット４０の内部に収納されている紙幣が紙幣計数機１２２に直接的に送られるような構成のものが用いられてもよい。これらの技術的事項によれば、紙幣収納カセット４０における防盗性を向上させることができる。
【００８０】
なお、図１０に示すカジノの管理システムにおいて、計数ルーム１２０に紙幣計数機１２２が設けられておらず、当該計数ルーム１２０に運搬された紙幣収納カセット４０に収納されている紙幣が計数ルーム１２０において係員により手動で計数されるようになっていてもよい。このような場合でも、管理サーバー１００において、各紙幣処理装置２０において入金処理が行われた紙幣の計数結果（具体的には、紙幣処理装置２０の識別部２８による紙幣の識別結果）と、計数ルーム１２０において係員により手動で計数された紙幣収納カセット４０内の紙幣の計数結果とを比較することができるようになる。このときには、管理サーバー１００において、計数ルーム１２０における紙幣収納カセット４０内の紙幣の計数に誤りがあったときにこのような計数ミスをすぐに検知することができるようになる。
【符号の説明】
【００８１】
１０    テーブル
１２    チップホルダ
２０    紙幣処理装置
２０ａ  上側筐体
２０ｂ  下側筐体
２０ｃ  上側扉
２０ｄ  下側扉
２０ｐ  紙幣処理装置
２２    投入部
２４    繰出機構
２６    搬送部
２８    識別部
３０    リジェクト部
３２    一時保留部
３３    一時保留部
３３ａ  載置台
３３ｂ  繰出機構
４０    紙幣収納カセット
４０ａ  載置台
４２    カセット装着部
５０    撮影部
５２    投光部
５４    追加撮影部
５６    追加投光部
６０    制御部
６２    記憶部
６４    出力部
６６    通信部
７０    表示装置
７２    表示画面
８０    上位端末
１００  管理サーバー
１２０  計数ルーム
１２２  紙幣計数機
１２４  表示装置
１４０  監視用モニタールーム
１４１  監視用モニター
１４２  表示画面
１４２ａ〜１４２ｆ  各テーブルを撮影した映像
【図１】
2016045871.tif 000003
【図２】
2016045871.tif 000004
【図３】
2016045871.tif 000005
【図４】
2016045871.tif 000006
【図５】
2016045871.tif 000007
【図６】
2016045871.tif 000008
【図７】
2016045871.tif 000009
【図８】
2016045871.tif 000010
【図９】
2016045871.tif 000011
【図１０】
2016045871.tif 000012
【図１１】
2016045871.tif 000013